(57)【要約】【課題】燃料電池システムの自立発電運転中において、燃料電池の過負荷状態に起因する燃料電池のシャットダウンを回避し、燃料電池の劣化を防止する。【解決手段】燃料電池システムの燃料電池制御装置１９は、系統電源３０の送電が停止された場合に燃料電池１１ａを発電させて電力変換装置１２からの電力のみを供給する自立発電運転中において、センサ１２ａにより検出された第２負荷装置１８の電流又は電圧の少なくともいずれか一方から算出される第２負荷装置１８の消費電力が所定値以上であるときは、燃料電池１１ａが過負荷状態であると判定し（ステップＳ１１４）、ステップＳ１１４によって燃料電池１１ａが過負荷状態であると判定されたときに、通知装置に燃料電池１１ａが過負荷状態であることを通知させるように制御する（ステップＳ１２２）。【選択図】  図４
2014186903.tif 000002
【特許請求の範囲】
【請求項１】
燃料と酸化剤ガスとにより発電する燃料電池と、
前記燃料電池から供給される直流電流を交流電流に変換する電力変換装置と、
系統電源からの電力および前記電力変換装置からの電力が供給される第１負荷装置と、
前記系統電源の送電が停止された場合に、前記燃料電池を発電させて前記電力変換装置からの電力のみを供給する自立発電運転中において、前記電力変換装置に接続されて、前記電力変換装置からの電力のみが供給される第２負荷装置と、
前記第２負荷装置の電流又は電圧の少なくともいずれか一方を検出するセンサと、
前記燃料電池の制御を少なくとも行う燃料電池制御装置と、
前記燃料電池制御装置からの通知制御信号に応じた通知を使用者に通知する通知装置と、を備えた燃料電池システムであって、
前記燃料電池制御装置は、前記自立発電運転中であって、前記センサにより検出された前記第２負荷装置の電流又は電圧の少なくともいずれか一方から算出される前記第２負荷装置の消費電力が所定値以上であるときは、前記燃料電池が過負荷状態であると判定する過負荷判定部と、
前記過負荷判定部によって前記燃料電池が過負荷状態であると判定されたときに、前記通知装置に前記燃料電池が過負荷状態であることを通知させるように制御する通知制御部と、
を備えた燃料電池システム。
【請求項２】
少なくとも前記燃料電池の排熱を熱交換により回収した湯水を貯める貯湯槽と、
前記貯湯槽の残湯量を少なくとも制御する貯湯槽制御装置と、
前記貯湯槽制御装置に通信可能に接続されて前記貯湯槽の貯湯状況を少なくとも表示する表示部を備えた前記貯湯槽の遠隔操作を行うリモコンと、
をさらに備え、
前記通知装置は前記リモコンであり、
前記貯湯槽制御装置は、前記燃料電池制御装置から前記燃料電池が過負荷状態である通知制御信号を受けた場合に、前記表示部に前記燃料電池が過負荷状態であることを表示する制御を行う請求項１の燃料電池システム。
【請求項３】
前記電力変換装置と前記第２負荷装置との間に設けられ、開路または閉路することにより前記電力変換装置と前記第２負荷装置とを電気的に遮断又は接続する開閉装置をさらに備え、
前記燃料電池制御装置は、前記過負荷判定部によって前記燃料電池が過負荷状態であると判定されたときに、前記開閉装置を開路させるように制御を行う請求項１または請求項２の燃料電池システム。
【発明の詳細な説明】
【技術分野】
【０００１】
本発明は、燃料電池システムに関する。
【背景技術】
【０００２】
燃料電池システムの一形式として、特許文献１に示されているものが知られている。燃料電池システムは、燃料と酸化剤ガスが供給されて発電する燃料電池と、燃料電池から供給される直流電流を交流電流に変換する電力変換装置とを備えており、この電力変換装置による電力と系統電源から供給される電力を組み合わせて、家庭用機器等の負荷装置に電力を供給している。
【０００３】
そして、このように構成された燃料電池システムにおいては、系統電源からの送電が停止（以下、停電とする）した場合、系統電源と燃料電池を切り離し、燃料電池が発電する電力のみを負荷装置に供給するように運転（以下、自立発電運転とする）させることもできる。これにより、停電した後復旧するまでの間、家庭用機器等の負荷装置に電力を供給することができる。
【０００４】
さらに、特許文献１によれば、停電後復旧するまでの間は、燃料電池の温度に応じて負荷装置の最大電力を推定し、推定された最大電力となるよう燃料ガスを継続して燃料電池へ供給するように自立発電運転を開始させることで、停電後直ちに安定した電力を供給することを可能としている。
【先行技術文献】
【特許文献】
【０００５】
【特許文献１】特開２００８−１０８６６６号公報
【発明の概要】
【発明が解決しようとする課題】
【０００６】
しかしながら、このような自立発電運転中において、負荷装置の消費電力が所定値以上となって燃料電池が過負荷状態となる場合は、使用する負荷装置の消費電力を所定値以下に抑える必要がある。すなわち、所定値を超える消費電力の負荷装置を接続したときは、燃料電池が過負荷状態となって燃料電池システムがシャットダウンする場合があり、燃料電池の劣化を招くという問題が発生するためである。
【０００７】
さらに、接続されている負荷装置の消費電力が所定値以下である場合であっても、負荷装置である冷蔵庫やテレビ等の電源入力部がコンデンサインプット型整流回路であるときは、燃料電池と負荷装置が接続された時に、負荷装置の消費電力が所定値以上となる突入電流が発生する場合がある。このときも燃料電池は過負荷状態となり、燃料電池システムはシャットダウンする場合があり、燃料電池の劣化問題が生じる。
【０００８】
本発明は、上述した問題を解消するためになされたもので、自立発電運転中における燃料電池の過負荷状態に起因する燃料電池システムのシャットダウンを回避し、燃料電池の劣化を防止することを目的とする。
【課題を解決するための手段】
【０００９】
上記の課題を解決するため、請求項１に係る燃料電池システムは、燃料と酸化剤ガスとにより発電する燃料電池と、燃料電池から供給される直流電流を交流電流に変換する電力変換装置と、系統電源からの電力および電力変換装置からの電力が供給される第１負荷装置と、系統電源の送電が停止された場合に、燃料電池を発電させて電力変換装置からの電力のみを供給する自立発電運転中において、電力変換装置に接続されて、電力変換装置からの電力のみが供給される第２負荷装置と、第２負荷装置の電流又は電圧の少なくともいずれか一方を検出するセンサと、燃料電池の制御を少なくとも行う燃料電池制御装置と、燃料電池制御装置からの通知制御信号に応じた通知を使用者に通知する通知装置と、を備えた燃料電池システムであって、燃料電池制御装置は、自立発電運転中であって、センサにより検出された第２負荷装置の電流又は電圧の少なくともいずれか一方から算出される第２負荷装置の消費電力が所定値以上であるときは、燃料電池が過負荷状態であると判定する過負荷判定部と、過負荷判定部によって燃料電池が過負荷状態であると判定されたときに、通知装置に燃料電池が過負荷状態であることを通知させるように制御する通知制御部と、を備えている。
【００１０】
また請求項２に係る発明は、請求項１に係る燃料電池システムにおいて、少なくとも燃料電池の排熱を熱交換により回収した湯水を貯める貯湯槽と、貯湯槽の残湯量を少なくとも制御する貯湯槽制御装置と、貯湯槽制御装置に通信可能に接続されて貯湯槽の貯湯状況を少なくとも表示する表示部を備えた貯湯槽の遠隔操作を行うリモコンと、をさらに備え、通知装置はリモコンであり、貯湯槽制御装置は、燃料電池制御装置から燃料電池が過負荷状態である通知制御信号を受けた場合に、表示部に燃料電池が過負荷状態であることを表示する制御を行う。
【００１１】
また請求項３に係る発明は、請求項１または２に係る燃料電池システムにおいて、電力変換装置と第２負荷装置との間に設けられ、開路または閉路することにより電力変換装置と第２負荷装置とを電気的に遮断又は接続する開閉装置をさらに備え、燃料電池制御装置は、過負荷判定部によって燃料電池が過負荷状態であると判定されたときに、開閉装置を開路させるように制御を行う。
【発明の効果】
【００１２】
上記のように構成した請求項１に係る発明においては、系統電源からの送電が停止（以下、停電とする）したことによる燃料電池システムの自立発電運転中において、過負荷判定部によって燃料電池が過負荷状態であると判定された場合に、通知装置に燃料電池が過負荷状態である旨を通知させることができる。そして、通知装置が使用者に対して燃料電池が過負荷状態であることを知らせることにより、燃料電池システムに接続されている第２負荷装置を外すことを使用者に促すことができる。これにより、使用者が第２負荷装置をシステムから外し、第２負荷装置の消費電力を所定値以下とすることができれば、燃料電池の過負荷状態は解消される。よって、燃料電池システムのシャットダウンを回避でき、燃料電池の劣化を防ぐことができる。
【００１３】
上記のように構成した請求項２に係る発明においては、請求項１における通知装置が貯湯槽を遠隔操作するリモコンで構成されている。リモコンは、貯湯槽の貯湯状況などをその表示部に表示して、その状況を使用者へ知らせる機能も備える既存の装置である。よって、その表示部に燃料電池が過負荷状態である表示を行えば、新たな装置を増やすことなく、使用者に燃料電池が過負荷状態であることを知らせることができ、安価に本発明の目的を達成することができる。
【００１４】
上記のように構成した請求項３に係る発明においては、請求項１または請求項２において、燃料電池が過負荷状態であると過負荷判定部が判定したときに、開閉装置によって燃料電池と第２負荷装置とを電気的に遮断させることができる。これにより、自動で燃料電池の過負荷状態を解消することができ、燃料電池システムのシャットダウンを使用者の操作によらずに自動的に回避することができる。そして、過負荷状態であることを通知装置により知らされた使用者が、第２負荷装置を燃料電池システムから外せば、第２負荷装置の消費電力を所定値以下とすることができる。その後、開閉装置によって燃料電池システムと消費電力が所定値以下の第２負荷装置とを電気的に接続して自立発電運転を行えば、燃料電池システムのシャットダウンはないため、燃料電池の劣化を防ぐことができる。
【図面の簡単な説明】
【００１５】
【図１】本発明による燃料電池システムの実施形態を示す概要図である。
【図２】図１に示す発電器の概要図である。
【図３】図１に示す貯湯槽制御リモコンの正面図である。
【図４】本発明による燃料電池システムの停電が発生した場合における動作のフローチャートである。
【図５】本発明による燃料電池システムの他の実施形態における燃料電池の概要図である。
【発明を実施するための形態】
【００１６】
以下、本発明による燃料電池システムの実施形態の一つである実施例について説明する。図１はこの燃料電池システムの概要を示す概要図である。この燃料電池システムは、発電ユニット１０および貯湯ユニット２０を備えている。
【００１７】
発電ユニット１０は、直流電力を発電する発電器１１、電力変換装置１２および電源基板１３を備えている。図２に示すように発電器１１は、燃料電池１１ａ、気化器１１ｂおよび改質部１１ｃを備えている。
【００１８】
気化器１１ｂは、後述する燃焼ガスにより加熱されて、供給された改質水を蒸発させて水蒸気を生成するとともに、供給された改質用原料を予熱するものである。気化器１１ｂは、このように生成された水蒸気と予熱された改質用原料を混合して混合ガスを改質部１１ｃに供給するものである。改質用原料としては天然ガス、ＬＰＧなどの改質用気体燃料、灯油、ガソリン、メタノールなどの改質用液体燃料がある。
【００１９】
改質部１１ｃは、後述する燃焼ガスにより加熱されて水蒸気改質反応に必要な熱が供給されることで、気化器１１ｂから供給された混合ガス（改質用原料および水蒸気）から改質ガスを生成して導出するものである。混合ガスが触媒によって反応し、改質されて水素ガスと一酸化炭素ガスが生成されている（いわゆる水蒸気改質反応）。これと同時に、水蒸気改質反応にて生成された一酸化炭素と水素が反応して水素ガスと二酸化炭素とに変成するいわゆる一酸化炭素シフト反応が生じている。これら生成されたガス（いわゆる改質ガス）は燃料電池１１ａの燃料極に導出されるようになっている。
【００２０】
燃料電池１１ａは、燃料と酸化剤ガスとにより発電するものである。燃料電池１１ａは、燃料極、空気極（酸化剤極）、および両極の間に介装された電解質からなる複数のセル１１ａ１が図２の左右方向に積層されて構成されている。本実施形態の燃料電池１１ａは、固体酸化物燃料電池であり、電解質として固体酸化物の一種である酸化ジルコニウムを使用している。燃料電池１１ａの燃料極には、燃料としての水素、一酸化炭素、メタンガスなどが供給される。セル１１ａ１の燃料極側には、燃料である改質ガスが流通する燃料流路１１ａ２が形成されている。セル１１ａ１の空気極側には、酸化剤ガスである空気（カソードエア）が流通する空気流路１１ａ３が形成されている。空気流路１１ａ３には、カソードエアがカソードエアブロワ１０ａ（またはカソードエアポンプ）によって供給されている。
【００２１】
燃料電池１１ａにおいては、燃料極に供給された燃料と空気極に供給された酸化剤ガスによって発電が行われる。すなわち、燃料極では、下記化１および化２に示す反応が生じ、空気極では、下記化３に示す反応が生じている。すなわち、空気極で生成した酸化物イオン（Ｏ２−）が電解質を通過し、燃料極で水素と反応することにより電気エネルギーを発生させている。
（化１）
Ｈ２＋Ｏ２−→Ｈ２Ｏ＋２ｅ−
（化２）
ＣＯ＋Ｏ２−→ＣＯ２＋２ｅ−
（化３）
１／２Ｏ２＋２ｅ−→Ｏ２−
【００２２】
燃焼ガスは、燃料流路１１ａ２から導出した発電に使用されなかった改質ガスが、空気流路１１ａ３から導出した発電に使用されなかった酸化剤ガス（空気）によって燃焼されたものである。
【００２３】
電力変換装置１２は、燃料電池１１ａから供給された直流電流を交流電流に変換するものである。また、電力変換装置１２は、変換した交流電流を出力する機能を備えている。電力変換装置１２には、送電線１４の一端が接続されており、電力変換装置１２の交流電力が送電線１４に出力されるようになっている。送電線１４の他端には、第１負荷装置１５が接続されている。電力変換装置１２が出力する電力は、必要に応じて送電線１４を介して第１負荷装置１５に供給されるようになっている。第１負荷装置１５は、電灯、アイロン、テレビ、洗濯機、電気コタツ、電気カーペット、エアコン、冷蔵庫などの電気器具である。
【００２４】
送電線１４上であって電力変換装置１２と第１負荷装置１５の間には、一端が系統電源３０に接続された電源ライン３１の他端が接続部１４ａで接続されている。また、電源ライン３１上には、配電盤３２が配設されている。発電ユニット１０が発電する電力より第１負荷装置１５の電力が上回った場合、その不足電力は、電源ライン３１から配電盤３２を介して系統電源３０からの電力が供給されるようになっている。よって、第１負荷装置１５は、系統電源３０からの電力および電力変換装置１２からの電力が供給されるようになっている。
【００２５】
送電線１４上であって電力変換装置１２と接続部１４ａの間には、一端が自立用出力端子１６に接続された送電線１７の他端が接続部１４ｂで接続されている。自立用出力端子１６には、第２負荷装置１８が着脱可能に接続されている。
【００２６】
自立用出力端子１６は、系統電源３０からの電力供給が停止（以下、停電とする）された場合に燃料電池１１ａを発電させて電力変換装置１２からの電力のみを第２負荷装置１８に供給するように運転（以下、自立発電運転とする）する間のみに使用されるものである。すなわち、自立用出力端子１６は、停電の場合における自立発電運転中に燃料電池１１ａが発電する電力のみが出力されるようになっている。
【００２７】
第２負荷装置１８は、自立発電運転中において、電力変換装置１２に接続されて、電力変換装置１２からの電力のみが供給されるものである。第２負荷装置１８は、第１負荷装置１５と同様の電気器具であるが、停電の場合における自立発電運転中に、使用者が使用したい電気器具について、自立用出力端子１６に接続して使用されるものである。
【００２８】
また、電力変換装置１２は、電源ライン３１および送電線１４を介して供給される系統電源３０からの交流電力を直流電力に変換して出力する機能を備えている。電力変換装置１２が出力する直流電力は、電源基板１３に出力される。電源基板１３は、供給された直流電力を所定の直流電力に変換して補機１０ｂなどに供給している。補機１０ｂは、図示のない改質水ポンプ、原料ポンプや各部位の温度センサなどの発電ユニット１０を作動させるのに必要であって直流電流で作動するものから構成されている。
【００２９】
また、電源ライン３１上であって系統電源３０と配電盤３２の間には、電圧センサ３１ａが配設されている。電圧センサ３１ａは、系統電源３０から電力変換装置１２へ供給される電力の電圧を検出するものである。なお、本実施形態においては、系統電源３０の電圧を検出するために電圧センサ３１ａを配設しているが、系統電源３０から電力変換装置１２へ供給される電力を検出する電力センサを配設するようにしても良い。
【００３０】
さらに、発電ユニット１０は、第１開閉器１４ｃ、第２開閉器１７ａ、センサ１２ａおよび燃料電池制御装置１９を備えている。
第１開閉器１４ｃは、送電線１４上であって接続部１４ａと接続部１４ｂとの間に配設され、開路または閉路することにより電力変換装置１２と系統電源３０とを電気的に遮断または接続するものである。第２開閉器１７ａは、特許請求の範囲に記載の開閉装置である。第２開閉器１７ａは、電力変換装置１２と第２負荷装置１８との間に配設され、開路または閉路することにより、電力変換装置１２と第２負荷装置１８とを電気的に遮断または接続する開閉装置である。より具体的には、第２開閉器１７ａは、送電線１７上であって接続部１４ｂと自立用出力端子１６との間に配設されている。
【００３１】
センサ１２ａは、電力変換装置１２の交流電力の出力部に配設され、出力電力の電流または電圧の少なくともいずれか一つを検出するものである。停電の場合における自立発電運転中には、第２負荷装置１８にのみ電力変換装置１２からの電力が供給されるため、センサ１２ａは第２負荷装置１８の電流または電圧の少なくともいずれか一方を検出する。また、送電線１４上であって第１開閉器１４ｃと接続部１４ａの間には、ブレーカ１４ｄが配設されている。系統電源３０からの送電が行われている場合であって、何らかの原因により送電線１４に異常な電流（例えば過電流）が流れたときに、ブレーカ１４ｄは自動で送電線１４を開路とするようになっている。これにより発電ユニット１０は異常な電流による損傷などから回避される。
【００３２】
燃料電池制御装置１９は、燃料電池１１ａの制御を少なくとも行うものである。具体的には、系統電源３０から電力供給があるときは、第１負荷装置１５の消費電力となるように燃料電池１１ａの発電量の制御を行う。このとき、燃料電池１１ａの発電する電力より第１負荷装置１５の消費電力が上回る場合は、その不足電力を系統電源３０から受電して補うようになっている。停電の場合は、第２負荷装置１８の消費電力となるように燃料電池１１ａの発電量の制御を行う。また、第１開閉器１４ｃおよび第２開閉器１７ａは、燃料電池制御装置１９からの指示に従って、開閉制御されるようになっている。また、燃料電池制御装置１９は、センサ１２ａの検出信号が入力されるようになっている。後述するように燃料電池制御装置１９はセンサ１２ａの検出信号に基づいて、燃料電池１１ａが過負荷状態であるか否かを判定する。さらに、燃料電池制御装置１９は、電圧センサ３１ａの検出信号が入力されるようになっている。燃料電池制御装置１９は、入力された電圧センサ３１ａの信号に基づいて、系統電源３０の停電を検出することができる。具体的には、電圧センサ３１ａによって検出された系統電源３０の電圧が所定電圧以下（例えば定格の１／１０以下）である場合は、系統電源３０は停電であると検出される。
【００３３】
貯湯ユニット２０は、貯湯槽２１、貯湯槽制御装置２２および電源基板２３を備えている。
貯湯槽２１は、燃料電池１１ａの排熱を熱交換により回収した湯水を貯めるものである。貯湯槽２１には、貯湯槽２１内の湯水（貯湯水）を循環させるための湯水循環回路２４が接続されている。湯水循環回路２４上には、熱交換器２５が配設されている。熱交換器２５には、一端が発電器１１の排熱が排出される発電器１１の排出口に接続された流路２５ａの他端が接続されている。熱交換器２５は、流路２５ａを介して供給される排熱と湯水循環回路２４を循環する湯水との間で熱交換を行うものである。すなわち、発電ユニット１０の発電中に図示しないポンプの駆動によって湯水循環回路２４を湯水が循環すると、湯水が流路２５ａを介して排出された発電ユニット１０の排熱を熱交換器２５を介して湯水に回収することで、湯水が加熱されるようになっている。
なお、発電器１１の排熱とは、例えば、発電ユニット１０の場合、燃料電池１１ａの排熱や改質部１１ｃの排熱などをいう。しかし、それに限定せず発電ユニット１０それ自体の熱など回収可能な排熱なら何でも利用できる。
【００３４】
貯湯槽２１は、１つの柱状容器を備えており、その内部に温水が層状に、すなわち上部の温水が最も高温であり下部にいくにしたがって低温となり下部の温水が最も低温であるように貯留されるようになっている。貯湯槽２１に貯留されている高温の温水が貯湯槽２１の柱状容器の上部から導出され、その導出された分を補給するように水道水などの水（低温の水）が貯湯槽２１の柱状容器の下部から導入されるようになっている。このような貯湯槽２１は、発電ユニット１０の近くに設置されている。
【００３５】
貯湯槽２１の内部には残湯量検出センサである温度センサ群２１ａが設けられている。温度センサ群２１ａは複数（本実施形態においては５個）の温度センサ２１ａ−１，２１ａ−２，・・・，２１ａ−５から構成されており、上下方向（鉛直方向）に沿って等間隔（貯湯槽２１内の上下方向高さの４分の１の距離）にて配設されている。温度センサ２１ａ−１は貯湯槽２１の内部上面位置に配置されている。各温度センサ２１ａ−１，２１ａ−２，・・・，２１ａ−５はその位置の貯湯槽２１内の液体（温水または水）の温度をそれぞれ検出するものである。この温度センサ群２１ａによる各位置での湯温の検出結果に基づいて貯湯槽２１内の残湯量が、この温度センサ群２１ａの検出結果が送信される貯湯槽制御装置２２によって導出されるようになっている。残湯量は、貯湯槽２１内に蓄えられた熱量を表している。
【００３６】
貯湯槽２１には、給湯管２６が接続されている。給湯管２６には、上流から順番に補助加熱装置であるガス湯沸かし器（図示省略）、温度センサ２６ａおよび流量センサ２６ｂが配設されている。ガス湯沸かし器は、給湯管２６を通過する貯湯槽２１からの湯水を加熱して給湯するようになっている。温度センサ２６ａはガス湯沸かし器を通過した後の湯水の温度を検出するものであり、その検出信号は貯湯槽制御装置２２に送信されるようになっている。すなわち、温度センサ２６ａで検出した湯水の温度が設定された給湯温度となるように、ガス湯沸かし器で加熱している。また、図示していないが、給湯管２６には貯湯槽２１の導出口と温度センサ２６ａとの間に水道水が合流するようになっている。これにより、貯湯槽２１からの湯水を降温している。流量センサ２６ｂは、貯湯槽２１から供給されている湯水消費量（給湯量）を検出するものである。流量センサ２６ｂの検出信号は貯湯槽制御装置２２に送信されるようになっている。
【００３７】
給湯管２６には、貯湯槽２１に貯留している湯水を給湯として利用する湯水使用場所Ａ２に設置されている複数の湯利用機器Ａ２ａが接続されている。この湯利用機器としては、浴槽、シャワ、キッチン（キッチンの蛇口）、洗面所（洗面所の蛇口）などがある。また、給湯管２６には、貯湯槽２１の湯水を熱源として利用する湯水使用場所Ａ２に設置されている熱利用機器Ａ２ｂが接続されている。この熱利用機器としては、浴室暖房、床暖房、浴槽の湯の追い炊き機構などがある。
【００３８】
貯湯槽制御装置２２は、貯湯槽２１の残湯量を少なくとも制御するものである。貯湯槽制御装置２２は、温度センサ群２１ａの検出結果に基づいて、図示しないポンプを作動させて湯水を循環させ加熱することにより貯湯槽２１の残湯量の制御をする。また、貯湯槽制御装置２２は、温度センサ２６ａおよび流量センサ２６ｂなどの検出結果に基づいて図示しないガス湯沸かし器などを作動させ、給湯温度の制御をする。貯湯槽制御装置２２は、電源基板２３から電力供給を受けて作動している。電源基板２３は、系統電源３０からの交流電力が配電盤３２で分配されて送電線を介して供給されている。電源基板２３は、供給された交流電力を所定の直流電力に変換して貯湯槽制御装置２２へ供給している。また、貯湯槽制御装置２２と燃料電池制御装置１９とは互いに通信可能に接続されている。
【００３９】
さらに、貯湯ユニット２０は、貯湯槽制御リモコン２７を備えている。特許請求の範囲に記載の通知装置は、貯湯槽制御リモコン２７である。通知装置は、燃料電池制御装置１９からの通知制御信号に応じた通知を使用者に通知するものである。図３に示す通知装置である貯湯槽制御リモコン２７は、貯湯槽制御装置２２と互いに通信可能に接続されて、貯湯槽２１の貯湯状況を少なくとも表示する表示部２７ａを備えた貯湯槽２１の遠隔操作を行うリモコンである。表示部２７ａは、貯湯槽２１内の湯水の残湯量、給湯温度および湯水消費量などの貯湯槽２１の貯湯状況が表示される。また、燃料電池制御装置１９と貯湯槽制御装置２２とは通信可能に接続されていることにより、表示部２７ａには発電器１１の発電する電力や使用電力量などの発電ユニット１０の運転状況が表示できるようになっている。また、燃料電池制御装置１９からの通知制御信号に応じた通知を表示部２７ａに表示できるようになっている。なお、本実施例において、貯湯槽制御リモコン２７は湯水使用場所Ａ２に設置されているが、電力使用場所Ａ１に設置してもよい。
【００４０】
次に、上述した燃料電池システムの系統電源３０から送電がある場合の基本的動作の一例について説明する。燃料電池制御装置１９は、図示しないスタートスイッチが押されて運転が開始される場合、または計画運転にしたがって運転が開始される場合には、起動運転を開始する。ここで、系統電源３０から電力の供給がある場合は、第１開閉器１４ｃは閉路に、第２開閉器１７ａは開路となるように燃料電池制御装置１９によって制御されている。
【００４１】
起動運転が開始されるときは、燃料電池制御装置１９は、図示しないモータ駆動のポンプなどの補機１０ｂを作動させ、発電器１１の気化器１１ｂに燃料および改質水の供給を開始する。上述したように、気化器１１ｂでは混合ガスが生成されて、混合ガスは改質部１１ｃに供給される。改質部１１ｃでは、供給された混合ガスから改質ガスが生成されて、改質ガスが燃料電池１１ａに供給される。改質部１１ｃが所定温度以上となれば、起動運転は終了する。
【００４２】
発電運転中では、燃料電池制御装置１９は、発電器１１の発電する電力が、センサ１２ａからの検出信号に基づいて算出される第１負荷装置１５の電力となるように補機１０ｂを制御して、改質ガスおよびカソードエアを発電器１１に供給する。上述したように、発電器１１の発電する電力より第１負荷装置１５の電力が上回った場合、その不足電力を系統電源３０から受電して補うようになっている。
【００４３】
このような発電運転中に、図示しないストップスイッチが押されて発電運転が停止される場合、または運転計画にしたがって運転が停止される場合には、燃料電池制御装置１９は、燃料電池システムの停止運転（停止処理）を実施する。
【００４４】
燃料電池制御装置１９は、燃料および水の気化器１１ｂへの供給を停止し、改質ガスおよび空気の燃料電池１１ａへの供給を停止する。このとき、発電器１１が残燃料によって発電している場合には、その出力電力は補機１０ｂなどへ供給されて消費される。残燃料による発電器１１の発電が終了すれば、停止運転は終了する。
【００４５】
このような停止運転が終了すると、燃料電池システムは待機状態（待機時）となる。待機時は、燃料電池システムの発電停止状態（すなわち、起動運転、発電運転、停止運転のいずれの運転中でない状態である。）のことであり、発電指示（スタートスイッチのオンなど）を待っている状態のことである。すなわち、停止運転状態終了時点の状態が維持される。
【００４６】
次に、系統電源３０が停電した場合の燃料電池システムの動作の一例について、図４に示すフローチャートに沿って説明する。
燃料電池制御装置１９は、電圧センサ３１ａの検出信号に基づいて系統電源３０に停電が発生したか否かを常時監視する（ステップＳ１０２）。燃料電池制御装置１９は、系統電源３０に停電が発生したことを検知すると、ステップＳ１０２で「ＹＥＳ」と判定し、第１開閉器１４ｃを開路とする（ステップＳ１０４）。
【００４７】
そして、燃料電池制御装置１９は、ステップＳ１０６で発電器１１が発電可能か否かを判断する。改質部１１ｃが所定温度以上であれば、発電器１１は定格電力を出力することができる。よって、改質部１１ｃが所定温度以上であれば、発電器１１は発電可能と判断され、ステップＳ１０６は「ＹＥＳ」と判定される。
一方、改質部１１ｃが所定温度以下であれば、発電器１１は定格電力を出力することができない。よって、改質部１１ｃが所定温度以下であれば、発電器１１は発電不可能と判断され、ステップＳ１０６は「ＮＯ」と判定される。
この場合は、復電後に燃料電池システムの復旧動作を行うことになる。
【００４８】
燃料電池制御装置１９は、発電器１１が発電可能である場合は、自己発電運転を開始する（ステップＳ１０８）。まず、燃料電池制御装置１９は、第２開閉器１７ａを閉路とする（ステップＳ１１０）。発電器１１が発電する電力を自立用出力端子１６に供給するためである。このとき、第１開閉器１４ｃは開状態であるため、燃料電池１１ａが発電する電力のみが自立用出力端子１６へ供給される。自立用出力端子１６から燃料電池１１ａが発電する電力を出力させることで、使用者は停電時であっても、第２負荷装置１８を自立用出力端子１６に接続して利用することができる。
【００４９】
次に、燃料電池制御装置１９は、センサ１２ａの検出値を取り込み、その検出値に基づいて第２負荷装置１８の消費電力を算出する（ステップＳ１１２）。具体的には、自立発電運転中は、第２負荷装置１８には、電力変換装置１２が出力する電力のみが供給されている。よって、センサ１２ａの検出値は、第２負荷装置１８の消費電力に相当する値となる。したがって、センサ１２ａが電圧と電流の両方を検出していれば、それらの値を乗じることにより、第２負荷装置１８の消費電力は算出される。また、センサ１２ａが電圧または電流のいずれか１つを検出している場合は、燃料電池制御装置１９はいずれか一つの検出値から第２負荷装置１８の消費電力を算出する。具体的には、第２負荷装置１８は、家庭内で使用される電気機器であるため、停電時に使用されるものについてあらかじめ調査することができる。調査結果から選定された複数の電気機器の電圧または電流と電力の関係を把握しておき、電圧または電流の値に対応する電力の値をまとめた表を制御プログラムに記憶させておく。燃料電池制御装置１９はこの表に従って、検出された電圧または電流のいずれか一方に対応する電力の値を第２負荷装置１８の消費電力として算出する。
【００５０】
燃料電池制御装置１９は、算出された第２負荷装置１８の消費電力が所定値より大きいか否かを判定する（過負荷判定部：ステップＳ１１４）。ステップＳ１１４においては、自立発電運転中であって、センサ１２ａにより検出された第２負荷装置１８の電流又は電圧の少なくともいずれか一方から算出される第２負荷装置１８の消費電力が所定値よりも大きいときは、燃料電池１１ａが過負荷状態であると判定する。所定値は、発電器１１が発電できる最大電力に基づいて設定されている。例えば発電器１１が発電できる最大電力の７０％と設定する。発電器１１が第２負荷装置１８の電力変化に追従できない場合があるため、所定値は安全率を見込んで設定している。
【００５１】
第２負荷装置１８の消費電力が所定値以下と判定された場合は、ステップＳ１１４において「ＮＯ」と判定される。この場合は、そのまま自立発電運転を継続し、センサ１２ａの検出値を随時読み込み、第２負荷装置１８の消費電力が所定値より大きいか否かの判定を繰り返し行う。一方、第２負荷装置１８の消費電力が所定値よりも大きいと判定された場合は、ステップＳ１１４にて「ＹＥＳ」と判定され、燃料電池１１ａが過負荷状態であると判定される。
【００５２】
燃料電池制御装置１９は、センサ１２ａの検出結果を再度取り込み、上述した方法によって第２負荷装置１８の電力を算出する（ステップＳ１１６）。そして、燃料電池制御装置１９において燃料電池１１ａが過負荷状態であるか否かを再度判定する（過負荷判定部ステップＳ１１８）。再度判定を行うのは、１回目に取り込んだセンサ１２ａの検出結果がノイズである場合やセンサ１２ａの誤検出などにより、誤判定している可能性があるためである。すなわち、判定を２回続けて行うことにより、判定の精度向上を図っている。２回目の判定で、第２負荷装置１８の消費電力が所定値以下と判定され（ステップＳ１１８で「ＮＯ」と判定され）、燃料電池１１ａが過負荷状態でないと判定される。この場合は、自立発電運転を継続し、センサ１２ａの検出値を随時読み込み、第２負荷装置１８の電力が所定値よりも大きいか否かの判定を繰り返し行う。一方、第２負荷装置１８の消費電力が所定値よりも大きいと判定された場合は、ステップＳ１１８で「ＹＥＳ」と判定され、燃料電池１１ａが過負荷状態であると判定される。
【００５３】
燃料電池制御装置１９は、ステップＳ１１８において、燃料電池１１ａが過負荷状態であると判定されたときに、第２開閉器１７ａを開路させるように制御を行う。これにより発電器１１と第２負荷装置１８とは電気的に遮断される（ステップＳ１２０）。燃料電池１１ａが過負荷状態であることに起因する燃料電池システムのシャットダウンを回避するためである。
【００５４】
燃料電池制御装置１９は、ステップＳ１２２において、燃料電池１１ａが過負荷状態である通知制御信号を貯湯槽制御装置２２に送信する。貯湯槽制御装置２２は、燃料電池制御装置１９から燃料電池１１ａが過負荷状態である通知制御信号を受けた場合に、表示部２７ａに燃料電池１１ａが過負荷状態であることを表示する制御を行う（通知制御部：ステップＳ１２２）。ステップＳ１２２においては、ステップＳ１１４によって燃料電池１１ａが過負荷状態であると判定されたときに、貯湯槽制御リモコン２７に燃料電池１１ａが過負荷状態であることを通知させるように制御する。
【００５５】
表示部２７ａにより、燃料電池１１ａが過負荷状態であることを目視確認させる通知をされた使用者は、燃料電池１１ａが過負荷状態である旨の表示をリセットする（ステップＳ１２４）。
【００５６】
本実施形態によれば、停電したことによる燃料電池システムの自立発電運転中において、ステップＳ１１４（過負荷判定部）によって燃料電池１１ａが過負荷状態であると判定された場合に、貯湯槽制御リモコン２７（通知装置）に燃料電池１１ａが過負荷状態である旨を通知させることができる。そして、貯湯槽制御リモコン２７が使用者に対して燃料電池１１ａが過負荷状態であることを知らせることにより、燃料電池システムに接続されている第２負荷装置１８を外すことを使用者に促すことができる。これにより、使用者が第２負荷装置１８をシステムから外し、第２負荷装置１８の消費電力を所定値以下とすることができれば、燃料電池１１ａの過負荷状態は解消される。よって、燃料電池システムのシャットダウンを回避でき、燃料電池１１ａの劣化を防ぐことができる。ここで、燃料電池１１ａの劣化とは、燃料電池システムのシャットダウンなどにより停止運転が行われずに燃料電池１１ａの発電が停止した場合に、燃料電池１１ａ内に改質ガスが残留することにより触媒が劣化した結果、燃料電池１１ａの発電する電力が低下することである。
【００５７】
また、通知装置は貯湯槽２１を遠隔操作する貯湯槽制御リモコン２７で構成されている。貯湯槽制御リモコン２７は、貯湯槽２１の貯湯状況などを表示部２７ａに表示して、その状況を使用者へ知らせる機能も備える既存の装置である。よって、表示部２７ａに燃料電池１１ａが過負荷状態である表示を行えば、新たな装置を増やすことなく、使用者に燃料電池１１ａが過負荷状態であることを知らせることができ、安価に本発明の目的を達成することができる。
【００５８】
また、燃料電池１１ａが過負荷状態であるとステップＳ１１４によって判定されたときに、第２開閉器１７ａ（開閉装置）によって燃料電池１１ａと第２負荷装置１８とを電気的に遮断させることができる。これにより、自動で燃料電池１１ａの過負荷状態を解消することができ、燃料電池システムのシャットダウンを使用者の操作によらずに自動的に回避することができる。そして、過負荷状態であることを貯湯槽制御リモコン２７により知らされた使用者が、第２負荷装置１８を燃料電池システムから外せば、第２負荷装置１８の消費電力を所定値以下とすることができる。その後、第２開閉器１７ａによって燃料電池システムと消費電力が所定値以下の第２負荷装置とを電気的に接続して自立発電運転を行えば、燃料電池システムのシャットダウンはないため、燃料電池１１ａの劣化を防ぐことができる。
【００５９】
なお、本発明による燃料電池システムの他の実施形態として、燃料電池１１ａが過負荷状態である旨を貯湯槽制御リモコン２７の表示部２７ａに表示させるのではなく、燃料電池制御装置１９と互いに通信可能な携帯電話やスマートフォンなどの電気通信機械器具の表示部に表示させても良い。これらの電気通信機械機器は使用者が携帯していることが多いため、燃料電池１１ａの過負荷状態を使用者へ早期に通知することができる。また、本実施形態のように、通知装置に燃料電池１１ａの過負荷状態である旨を表示させて使用者に目視確認させる通知方法の他に、通知装置に音の出力をさせて使用者に聴音確認させる通知方法でも良い。音の出力による通知であれば、表示による通知の場合に比べ、燃料電池１１ａが過負荷状態であることを使用者へ早期かつ確実に通知することが可能となる場合がある。
【００６０】
さらに、本発明による燃料電池システムの他の実施形態として、自立用出力端子１６が省略されている実施形態も考えられる。この場合、系統電源３０の送電がある場合または停電の場合であっても常に第２負荷装置１８が第２開閉器１７ａに直接接続されている。系統電源３０からの送電があるときは、第２開閉器１７ａを開路とするため、第２負荷装置１８には電力供給はされない。一方、停電の場合における自立発電運転中には、第２開閉器１７ａを閉路とするため、使用者によらず、自動的に第２負荷装置１８へ発電器１１からの電力のみが供給されることになる。
【００６１】
また、本実施形態における第２負荷装置１８は一つの電気器具で構成されているが、複数の電気器具で構成されていても良い。この場合であって、燃料電池１１ａが過負荷状態であると通知された使用者が、一部の第２負荷装置１８を外すことにより、燃料電池１１ａの過負荷状態が解消できるときがある。
【００６２】
また、本実施形態における燃料電池１１ａは固体酸化物燃料電池であったが、本発明を高分子電解質形燃料電池に適用するようにしても良い。この場合、発電器１１は、図５に示すように、主として燃料電池５１ａおよび改質器５１ｂから構成されている。
【００６３】
燃料電池５１ａは、燃料ガス（水素ガス）および酸化剤ガス（酸素を含む空気）が供給されて水素と酸素の化学反応により発電して直流電流（例えば４０Ｖ）を出力するものである。
改質器５１ｂは、燃料（改質用燃料）を水蒸気改質し、水素リッチな改質ガスを燃料電池５１ａに供給するものであり、バーナ（燃焼部）５１ｂ１、改質部５１ｂ２、一酸化炭素シフト反応部（以下、ＣＯシフト部という）５１ｂ３および一酸化炭素選択酸化反応部（以下、ＣＯ選択酸化部という）５１ｂ４から構成されている。燃料としては、天然ガス、ＬＰＧ、灯油、ガソリンおよびメタノールなどがある。
【００６４】
バーナ５１ｂ１は、起動運転時に外部から燃焼用燃料および燃焼用空気が供給され、または定常運転時に燃料電池５１ａの燃料極からアノードオフガス（燃料電池５１ａに供給されずに排出された改質ガス）が供給され、供給された各可燃性ガスを燃焼して燃焼ガスを改質部５１ｂ２に導出するものである。
【００６５】
改質部５１ｂ２は、外部から供給された燃料に蒸発器からの水蒸気（改質水）を混合した混合ガスを改質部５１ｂ２に充填された触媒により改質して水素ガスと一酸化炭素ガスを生成している（いわゆる水蒸気改質反応）。これと同時に、水蒸気改質反応にて生成された一酸化炭素と水蒸気を水素ガスと二酸化炭素とに変成している（いわゆる一酸化炭素シフト反応）。これら生成されたガス（いわゆる改質ガス）はＣＯシフト部５１ｂ３に導出される。
【００６６】
ＣＯシフト部５１ｂ３は、この改質ガスに含まれる一酸化炭素と水蒸気をその内部に充填された触媒により反応させて水素ガスと二酸化炭素とに変成している。これにより改質ガスは一酸化炭素濃度が低減されてＣＯ選択酸化部５１ｂ４に導出される。
【００６７】
ＣＯ選択酸化部５１ｂ４は、改質ガスに残留している一酸化炭素と外部からさらに供給されたＣＯ浄化用の空気とをその内部に充填された触媒により反応させて二酸化炭素を生成している。これにより、改質ガスは一酸化炭素濃度がさらに低減されて（１０ｐｐｍ以下）燃料電池５１ａの燃料極に導出される。
【符号の説明】
【００６８】
１０・・・発電ユニット、１１・・・発電器、１１ａ・・・燃料電池、１２・・・電力変換装置、１２ａ・・・センサ、１４・・・送電線、１５・・・第１負荷装置、１７・・・送電線、１７ａ・・・第２開閉器、１８・・・第２負荷装置、１９・・・燃料電池制御装置、２０・・・貯湯ユニット、２１・・・貯湯槽、２２・・・貯湯槽制御装置、２４・・・湯水循環回路、２５・・・熱交換器、２５ａ・・・流路、２７・・・貯湯槽制御リモコン、２７ａ・・・表示部、３０・・・系統電源、３１・・・電源ライン、３１ａ・・・電圧センサ
【図１】
2014186903.tif 000003
【図２】
2014186903.tif 000004
【図３】
2014186903.tif 000005
【図４】
2014186903.tif 000006
【図５】
2014186903.tif 000007